(57)【特許請求の範囲】
【請求項１】
塵芥収容箱に後部全体が開口する開口部を設け、この開口部を開閉する前面が開口した投入箱を上記塵芥収容箱後方上端部に枢着し、この投入箱内に上下動するアッパーパネルとこのアッパーパネルの下端で前後揺動する掻込板とを備えた積込装置を搭載した塵芥収集車において、
上記投入箱にこの投入箱の前面開口部の上方部分を遮蔽する固定遮蔽板を上記アッパーパネルが上昇位置にあるときこのアッパーパネルの上面に沿う位置に配設し、この固定遮蔽板の下方に上記投入箱の前面開口部を上昇位置にあるときの上記アッパーパネルの前面に沿って遮蔽可能な可動遮蔽板を設け、この可動遮蔽板の固定端側を上記固定遮蔽板の下端縁に回動自在に連設し、上記可動遮蔽板の可動端側に上記塵芥収容箱の後方部分に当接可能な当接板を一体形成し、この当接板を上記塵芥収容箱側に押圧可能な押圧板を上記アッパーパネルの前面に対向させて上記投入箱に固設し、上記投入箱が閉状態にあるとき上記可動遮蔽板がこの投入箱の前面開口部を上記アッパーパネルの前面に沿って遮蔽する位置で上記当接板を上記塵芥収容箱と上記押圧板とで挟持可能に形成し、上記投入箱が開状態にあるとき上記固定遮蔽板及び上記押圧板が上記投入箱と一体に上方に移動されて上記可動遮蔽板が自重により垂下することを特徴とする塵芥収集車。
【発明の詳細な説明】
【０００１】
【発明の属する分野】
本発明は、掻込板の揺動運動により塵芥を塵芥収容箱内へ圧縮積込する揺動圧縮方式の積込装置を備えた塵芥収集車に関する。
【０００２】
【従来の技術】
揺動圧縮方式の積込装置を搭載した塵芥収集車は、アッパーパネルの上下動と、このアッパーパネルの下端に取り付けられた掻込板の前後揺動とによって、投入箱に投入された塵芥の圧縮及び塵芥収容箱への積込みを行うようになっている。
【０００３】
ところで、上記塵芥収集車は、通常、上記投入箱の前面開口部の上方部分に上記アッパーパネルに沿って遮蔽板が形成されており、この遮蔽板によって、上記塵芥収容箱と上記投入箱とを上方で区画している。また、上記遮蔽板の下端縁部には、上記アッパーパネルに摺接して、上記遮蔽板と上記アッパーパネルとの間隙への塵芥の進入を防止するための摺接部が形成されている。
【０００４】
しかし、上記アッパーパネルの摺動中等においては、どうしても上記アッパーパネルと上記摺接部との摺接が不充分となり、上記アッパーパネルと上記遮蔽板との間隙に塵芥が進入することがあった。上記遮蔽板は上記投入箱内に取付固定されているため、上記アッパーパネルと上記遮蔽板との間隙に進入した塵芥は、たとえ上記投入箱を開いても外部に排出されない。そして、上記間隙に進入した塵芥は、腐敗して悪臭を放ったり、シリンダ等に付着して錆の原因となる等、装置全体に悪影響を及ぼすことがあった。
【０００５】
これに対処し、例えば実用新案登録番号第２５２２５９７号（実開平５−５４４０５号公報）には、遮蔽板の前端縁部と投入箱の上部前端縁部との間に、上記間隙を上記投入箱の内部上方に連通する排出口を形成し、また、上記投入箱の上部前端縁部に上記排出口を開閉する可動遮蔽板を設けた塵芥収集車の塵芥積込装置が開示されている。この先行技術では、上記投入箱を開方向に動作させる際に、上記可動遮蔽板が自重によって垂下されて上記排出口が開放されるようになっており、このとき、開放された上記排出口から塵芥が自重によって排出されるようになっている。
【０００６】
また、実公平７−５６２４６号公報には、上部区画壁と、この上部区画壁の下端に前後揺動自在に連結された可動区画壁とからなる区画壁（遮蔽板）を昇降枠（アッパーパネル）に沿って形成し、投入箱の開閉動作に連動して上記可動区壁を開閉操作する連動機構を設けた塵芥収集車が開示されている。
【０００７】
【発明が解決しようとする課題】
しかし、上記実用新案登録番号第２５２２５９７号に記載の技術では、上記排出口の閉塞は上記可動遮蔽板の自重により行っているため、上記可動遮蔽板の枢着部分や投入箱の側壁との間に塵芥が詰まったとき等に上記排出口を十分に開閉することが困難となる場合がある。また、上記排出口は、上記間隙への塵芥の進入部位とは離れた位置に形成されているため、上記間隙の下方で塵芥が詰まった場合などにはこの塵芥を完全に除去することが困難である。
【０００８】
また、上記実公平７−５６２４６号公報に記載の技術では、上記間隙に進入した塵芥のうち容易に除去できる塵芥は上記可動区画壁近傍の塵芥のみであり、上記間隙の上方部まで押し込まれた塵芥を完全に除去することは困難である。
【０００９】
このように、上記各先行技術では、上記間隙に進入した塵芥を完全に除去することは困難であり、依然、上記間隙に進入した塵芥が滞留し、この間隙に滞留した塵芥が腐敗して悪臭を放ったり、シリンダ等に付着して錆の原因になる等の問題を有している。
【００１０】
本発明は上記事情に鑑みてなされたもので、投入箱が閉状態のとき可動遮蔽板を閉位置で確実に保持することができ、また、アッパーパネルと遮蔽板との間隙に進入した塵芥を確実に除去することのできる塵芥収集車を提供することを目的とする。
【００１１】
【課題を解決するための手段】
上記目的を達成するため、本発明による塵芥収集車は、塵芥収容箱に後部全体が開口する開口部を設け、この開口部を開閉する前面が開口した投入箱を上記塵芥収容箱後方上端部に枢着し、この投入箱内に上下動するアッパーパネルとこのアッパーパネルの下端で前後揺動する掻込板とを備えた積込装置を搭載した塵芥収集車において、上記投入箱にこの投入箱の前面開口部の上方部分を遮蔽する固定遮蔽板を上記アッパーパネルが上昇位置にあるときこのアッパーパネルの上面に沿う位置に配設し、この固定遮蔽板の下方に上記投入箱の前面開口部を上昇位置にあるときの上記アッパーパネルの前面に沿って遮蔽可能な可動遮蔽板を設け、この可動遮蔽板の固定端側を上記固定遮蔽板の下端縁に回動自在に連設し、上記可動遮蔽板の可動端側に上記塵芥収容箱の後方部分に当接可能な当接板を一体形成し、この当接板を上記塵芥収容箱側に押圧可能な押圧板を上記アッパーパネルの前面に対向させて上記投入箱に固設し、上記投入箱が閉状態にあるとき上記可動遮蔽板がこの投入箱の前面開口部を上記アッパーパネルの前面に沿って遮蔽する位置で上記当接板を上記塵芥収容箱と上記押圧板とで挟持可能に形成し、上記投入箱が開状態にあるとき上記固定遮蔽板及び上記押圧板が上記投入箱と一体に上方に移動されて上記可動遮蔽板が自重により垂下することを特徴とする。
【００１２】
すなわち、本発明による塵芥収集車は、上記投入箱が閉状態にあるとき上記当接板が上記塵芥収容箱と上記押圧板とに挟持されて、上記可動遮蔽板が上記投入箱の前面開口部を上記アッパーパネルに沿って遮蔽するよう保持される。一方、上記投入箱が開状態となると、上記可動遮蔽板が自重によって上記固定端側を中心に回動して上記アッパーパネルから離間し、塵芥収集時に上記アッパーパネルと上記可動遮蔽板との間隙に進入した塵芥が自重により落下する。
【００１３】
【発明の実施の形態】
以下、図面を参照して本発明の実施の形態を説明する。図１は、本発明の一実施の形態に関わり、図１は塵芥積込装置の要部を示す概略側面図である。
【００１４】
図１において、符号２０は塵芥収集車であり、この塵芥収集車２０の塵芥収容箱１０の後面開口部の上端には、前面が開口された投入箱１１が枢軸１１ａを介して上下方向に開閉可能に枢着されている。上記投入箱１１には、投入口１１ｂから投入された塵芥を、上記塵芥収容箱１０内に圧縮して積込むための積込装置１が装備されている。また、上記塵芥収容箱１０内には、その内面に摺接される可動排出板（図示せず）が前後方向に摺動可能に収容され、図示しない油圧シリンダの伸縮動作によって塵芥収容箱１０内の塵芥を外部に排出することができ、上記積込装置１の作動中は、塵芥の押込圧によって上記可動排出板が後方位置より徐々に前方位置に自動的に移動できるよう油圧力で調整されている。
【００１５】
上記積込装置１は、図１に示すように、上記投入箱１１の両内壁に後方に向かって垂直線に対し所定に傾斜したガイド溝１７と、上記投入箱１１の内部でこのガイド溝１７に沿って上下動自在に嵌合されたアッパーパネル１３と、このアッパーパネル１３の下端で枢軸１５を介して揺動自在に枢着された掻込板１４とで主要部が構成されている。
【００１６】
上記アッパーパネル１３には、上記ガイド溝１７に沿って配設されたアッパーシリンダ（図示せず）が軸部１３ａを介して連結され、このアッパーシリンダの伸縮動作によって、上記ガイド溝１７に沿って往復運動するようになっている。また、上記掻込板１４には、プレスシリンダ（図示せず）が軸部１４ａを介して連結され、このプレスシリンダの伸縮動作によって、上記枢軸１５を支点に揺動運動するようになっている。
【００１７】
上記投入箱１１には、この投入箱１１の前面開口部の上方部分を遮蔽する固定遮蔽板２が設けられている。この固定遮蔽板２は、上記アッパーパネル１３が上記ガイド溝１７に沿って移動し上昇位置となったときこのアッパーパネル１３の上面１３ｂに沿う位置で上記投入箱１１に固定されている。
【００１８】
また、上記固定遮蔽板２の下端縁には、上記アッパーパネル１３の前面１３ｃに沿って上記投入箱１１の前面開口部を遮蔽可能な可動遮蔽板３の固定端側が枢軸３ａを介して回動自在に連接されており、この可動遮蔽板３の可動端側には、前面側が上記塵芥収容箱１０の左右側壁の後端縁部１０ａに当接可能な当接板３ｂが一体形成されている。
【００１９】
なお、本実施の形態では、上記塵芥収容箱１０の左右側壁の後端縁部１０ａに上記当接板３ｂを当接可能な構成としたが、本発明は上記構成に限らず、例えば、上記塵芥収容箱１０の左右側壁の後端付近に内向フランジを形成し、上記当接板３ｂの両端部を当接可能とする構成にしてもよい。
【００２０】
また、上記投入箱１１には、この投入箱１１が閉状態のときに上記当接板３ｂを背面側から上記塵芥収容箱１０の後端縁部１０ａに押圧する押圧板５が設けられている。この押圧板５は、上記アッパーパネル１３が上昇位置にあるとき、このアッパーパネル１３の前面１３ｃの下端寄りに対向されるよう配設されており、また、この押圧板５の下端縁には、上記アッパーパネル１３の前面と摺接する摺接部５ａが形成されている。
【００２１】
ここで、上記押圧板５によって上記当接板３ｂが上記塵芥収容箱１０の後端縁部１０ａに押圧されたとき、上記可動遮蔽板３は、上記アッパーパネル１３の前面１３ｃに沿って上記投入箱１１の前面開口部を遮蔽する位置で保持されるようになっている。また、このとき、上記アッパーパネル１３の前面１３ｃと上記可動遮蔽板３との間には、間隙６が形成される。
【００２２】
次に、上記構成による塵芥収集車２０の動作について説明する。
ゴミ収集所で、投入口１１ｂから投入箱１１内に塵芥が投入されると、積込装置１は、上記掻込板１４の後方への揺動、上記アッパーパネル１３の下方への摺動、上記掻込板１４の前方への揺動、上記アッパーパネル１３の上方への摺動を順次行うことにより、上記掻込板１４を図１中１点鎖線Ｉ〜IVに示す軌道で動作させて、上記塵芥を上記塵芥収容箱１０内に圧縮して積込む。このとき、上記アッパーパネル１３と摺接部５ａとの間隙から、間隙６へ塵芥が進入する。この塵芥は上記可動遮蔽板３に平行に進入するので、可動遮蔽板３の側端と上記投入箱１１の側壁との間に詰まることがない。
【００２３】
塵芥収容箱１０内に塵芥が圧縮積込されると、上記塵芥収集車２０が所定のゴミ処理場に移動した後、投入箱１１が枢軸１１ａを支点に開動作して上方に持ち上げられる。
【００２４】
このとき、図中に２点鎖線で示すように、固定遮蔽板２、押圧板５、アッパーパネル１３、掻込板１４等の各部材も上記投入箱１１と一体となって上記枢軸１１ａを支点として上方に持ち上げられる。
【００２５】
すると、上記可動遮蔽板３を支持する枢軸３ａは、上記枢軸１１ａを支点とした円弧状の軌道を通って後方に移動し、上記当接板３ｂが上記塵芥収容箱１０の後端縁部１０ａから離間される。これにより、上記可動遮蔽板３が上記枢軸３ａを支点として自重により垂下され、上記可動遮蔽板３と上記アッパーパネル１３との間に形成された間隙６は開放されて、塵芥収集時に上記アッパーパネル１３と摺接部５ａとの摺動部からから進入し上記間隙６に蓄積された塵芥は自重により落下する。
【００２６】
ここで、本実施の形態によれば、上記可動遮蔽板３が垂下されることによって上記間隙６の略全域が大きく開放されるので、この間隙６内に蓄積された塵芥を確実且つ容易に除去することができる。
【００２７】
また、上記可動遮蔽板３は、この可動遮蔽板３の自重を利用して開動作を行うので、特別な開閉機構を用いることなく、上記間隙６を上記投入箱１１の開動作に伴い開放することができる。
【００２８】
しかる後、投入箱１１が開いた状態でプレスシリンダ，アッパーシリンダを夫々退入，突出させ、投入箱１１内の残存したごみをアッパーパネル１３及び掻込板１４によりすべて外部へ掻き出す。
【００２９】
また、上記可動遮蔽板３の上記枢軸３ａを支点とした開動作により、上記間隙６の開放と同時に上記アッパーパネル１３の上面１３ｂの前面側も開放されるので、たとえ、多量の塵芥が上記間隙６内に押し込まれて上記アッパーパネル１３の上面１３ｂ側にまで達したとしても、このアッパーパネル１３の上面１３ｂ側にまで達した塵芥を容易に除去することができる。すなわち、上記摺接部５ａを介して上記間隙６側に進入した塵芥のすべてを確実に除去することができる。
【００３０】
一方、上記投入箱１１の閉動作の際は、上記各部材が上述の開動作とは逆の軌道を通ってそれぞれ閉方向へ移動する。
【００３１】
この閉動作の途中で、上記当接板３ｂは、先ず、上記枢軸３ａの移動に伴い上記塵芥収容箱１０の後端縁部１０ａに当接された後、上記押圧板５によって上記後端縁部１０ａ側に押圧される。そして、上記当接板３ｂは、上記可動遮蔽板３の閉位置、すなわち上記可動遮蔽板３が上記アッパーパネル１３の前面１３ｃに沿って上記投入箱１１の前面開口部を遮蔽した位置で完全に固定される。
【００３２】
このように、上記投入箱１１が閉状態のときは、上記可動遮蔽板３を閉位置で確実に保持することができる。
【００３３】
また、上記可動遮蔽板３の保持は、上記当接板３ｂを上記押圧板５と上記後端縁部１０ａとで挟持して行うものであるので、簡単な機構で確実に行うことができる。
【００３４】
【発明の効果】
以上、説明したように本発明によれば、投入箱が開状態のときにアッパーパネルに沿う可動遮蔽板を設け、可動遮蔽板の上端部を枢着すると共に下端部に当接板を設け、当接板を塵芥収容箱と押圧板とで挟持するすることによって、投入箱が開状態のとき可動遮蔽板を開き、投入箱が閉状態のとき可動遮蔽板を閉位置で確実に保持することができ、また、可動遮蔽板はアッパーパネルの前面の略全域を開閉可能なのでこのアッパーパネルと遮蔽板との間隙に進入した塵芥を確実に除去することができる。
【図面の簡単な説明】
【図１】塵芥積込装置の要部を示す概略側面図
【符号の説明】
１        …    積込装置
２        …    固定遮蔽板
３        …    可動遮蔽板
３ａ      …    枢軸
３ｂ      …    当接板
５        …    押圧板
６        …    間隙
１０      …    塵芥収容箱
１０ａ    …    後端縁部
１１      …    投入箱
１３      …    アッパーパネル
１４      …    掻込板
【図１】
0003910710.tif 000002